(57)【要約】【課題】  構成部品数及び組立時間を低減できる磁気記録再生装置のカセットテープ排出装置を提供する。【解決手段】  本発明によるカセットテープ排出装置は、一体に形成されたピンボスと、フック穴及びロック溝を備えるシャーシと；カセットテープが装着され、シャーシにテープ収容位置及びテープ排出位置に移動自在に設置されるカセットハウジングと；カセットハウジングに設置され、カセットハウジングがテープ収容位置に移動した時、ロック溝に係止するロック突起を備えるロックレバーと；ピンボスを通じて所定角度に正・逆回転できるようにシャーシに設置され、カセットテープ排出時、ロック溝に対するロック突起の係止を解除するイジェクトレバーと、イジェクトレバーの正・逆回転によりオン/オフ動作をしながら、カセットテープの排出を検知するカセットスイッチとを含む。【選択図】      図４
2006004602.tif 000002
【特許請求の範囲】
【請求項１】
一体に形成されたピンボス、フック穴及びロック溝を備えるシャーシと；
カセットテープが装着され、前記シャーシにテープ収容位置及びテープ排出位置に移動自在に設置されるカセットハウジングと；
前記カセットハウジングに設置され、前記カセットハウジングがテープ収容位置に移動した時、前記ロック溝に係止するロック突起を備えるロックレバーと；
前記ピンボスを通じて所定角度に正・逆回転できるように前記シャーシに設置され、カセットテープ排出時、前記ロック溝に対する前記ロック突起の係止を解除するイジェクトレバーとを含むことを特徴とする磁気記録再生装置のカセットテープ排出装置。
【請求項２】
前記イジェクトレバーの正・逆回転により、オン/オフ動作をしながら、カセットテープの排出を検知するカセットスイッチを含み、
前記ロックレバーは前記イジェックトレバーと接触するロック解除突起を備え、
前記イジェックトレバーは、前記ピンボスの受容されるピン穴を備えた本体と、前記ロック解除突起と接触する作動部と、前記カセットスイッチを動作させる押下部とを備えることを特徴とする請求項１に記載の磁気記録再生装置のカセットテープ排出装置。
【請求項３】
前記イジェックトレバーは、前記シャーシのフック穴にフックされる抜け止めフック部を備えることを特徴とする請求項１又は２に記載の磁気記録再生装置のカセットテープ排出装置。
【請求項４】
前記ピンボスは深絞りにより形成されることを特徴とする請求項１又は２に記載の磁気記録再生装置のカセットテープ排出装置。
【請求項５】
前記押下部は前記本体に弾力を持つように備えられることを特徴とする請求項２に記載の磁気記録再生装置のカセットテープ排出装置。
【請求項６】
前記カセットスイッチは前記シャーシの下面に設置されることを特徴とする請求項２に記載の磁気記録再生装置のカセットテープ排出装置。
【請求項７】
リールテーブル、テープ走行系及びヘッドドラムなどを支持するシャーシと；カセットテープが装着され、前記シャーシにテープ収容位置及びテープ排出位置に移動自在に設置されるカセットハウジングと；前記カセットハウジングがテープ収容位置に移動した時、カセットハウジングをシャーシにロックし、カセットテープ排出時、カセットハウジングのロックを解除して、カセットハウジングがテープ排出位置に移動するカセットテープ排出装置を含む磁気記録再生装置において、
前記カセットテープ排出装置は、
一体に形成されたピンボスと、フック穴及びロック溝を備えた前記シャーシと；
前記カセットハウジングに設置され、前記カセットハウジングがテープ収容位置に移動した時、前記ロック溝に係止するロック突起とロック解除突起を備えたロックレバーと；
前記ピンボスを通じて所定角度に正・逆回転できるように前記シャーシに設置され、カセットテープ排出時、前記ロック溝に対するロック突起の係止を解除するイジェックトレバーと；
前記イジェックトレバーの正・逆回転により、オン/オフ動作をしながら、カセットテープの排出を検知するカセットスイッチとを含むことを特徴とする磁気記録再生装置。
【請求項８】
前記イジェックトレバーは、前記ピンボスの受容されるピン穴を備える本体、前記ロック解除突起と接触する作動部、及び前記カセットスイッチを動作させる押下部を備えることを特徴とする請求項７に記載の磁気記録再生装置。
【請求項９】
前記イジェックトレバーは、前記シャーシのフック穴にフックされる抜け止めフック部を備えることを特徴とする請求項７又は８に記載の磁気記録再生装置。
【請求項１０】
前記ピンボスは深絞りにより形成されることを特徴とする請求項７又は８に記載の磁気記録再生装置。
【請求項１１】
前記押下部は前記本体に弾力を持つように備えられることを特徴とする請求項８に記載の磁気記録再生装置。
【請求項１２】
前記カセットスイッチは前記シャーシの下面に設置されることを特徴とする請求項８に記載の磁気記録再生装置。
【発明の詳細な説明】
【技術分野】
【０００１】
本発明は磁気記録再生装置に関し、より詳しくは、改善した構造のカセットテープ排出装置及びそれを備える磁気記録再生装置に関するものである。
【背景技術】
【０００２】
磁気テープを記録媒体として利用する、例えば、ＶＣＲ(ビデオカセットテープレコーダ)やＤＶＣ(デジタルバーサタイルカムコーダ)などのような磁気記録再生装置は、カセットテープからテープを排出して走行させながら、所定の情報を記録及び/又は再生するデッキ、撮影ユニット及び信号処理ユニットなどを含む。
【０００３】
図１によれば、一般の磁気記録再生装置のデッキは、メインシャーシ１０と、メインシャーシ１０に対して摺動自在に設置されるサブシャーシ２０と、サブシャーシ２０に移動自在に設置され、カセットテープＣが装着されるカセットハウジング３０とを備える。
【０００４】
メインシャーシ１０には、ヘッドドラム１１と、ローディングモータ１２と、キャプスタンモータ１３と、テープ走行系を構成する多数のガイドローラ１４とガイド柱１５などが適所に配置される。また、サブシャーシ２０にはカセットテープのテープリールを駆動させるための一対のリールテーブル２１、２２などが配置される。
【０００５】
カセットハウジング３０はテープ収容位置とテープ排出位置に移動自在であり、磁気記録再生装置のデッキは、カセットハウジング３０をテープ収容位置でサブシャーシ２０にロックし、カセットテープ排出時、カセットハウジング３０のロックを解除するカセットテープ排出装置４０(図２Ａ及び図２Ｂ参照)を備える。
【０００６】
図１、図２Ａ及び図２Ｂによれば、カセットテープ排出装置４０は、カセットハウジング３０に設置されるロックレバー４１、サブシャーシ２０に設置されるイジェックトレバー４３及びカセットスイッチ４５を備える。
【０００７】
ロックレバー４１はロック突起４１ａ及びロック解除突起４１ｂを備える。ロック突起４１ａは、カセットハウジング３０がテープ収容位置に移動した時、サブシャーシ２０に形成されたロック溝２０ａに係止する。
【０００８】
イジェックトレバー４３は、ピン４２によりサブシャーシ２０に所定角度に正・逆回転できるように設置される。イジェックトレバー４３は、ロックレバー４１のロック解除突起４１ｂと接触する作動部４３ａ、押下部４３ｂ及び弾性部４３ｃを備える。そして、ピン４２の上部にはイジェックトレバー４３の抜け止めためのワッシャー４４などが結合される。
【０００９】
カセットスイッチ４５は、サブシャーシ２０の一側にイジェックトレバー４３の正・逆回転によってオン/オフ動作するように設置される。
【００１０】
前記のようなカセットテープ排出装置４０は、カセットテープＣの装着されたカセットハウジング３０がテープ収容位置に移動すれば、カセットハウジング３０のロックレバー４１に具備されたロック突起４１ａがサブシャーシ２０のロック溝２０ａに係止することで、カセットハウジング３０がロックされる。このとき、イジェックトレバー４３の押下部４３ｂがカセットスイッチ４５を押下することにより、カセットスイッチ４５がオンされる。
【００１１】
一方、カセットテープＣを排出するために、イジェクトボタン(図示せず)を押下すれば、イジェックトレバー４３が図において反時計方向(図２ａに表示した矢印方向)に回転しながら、ロックレバー４１のロック解除突起４１ｂを押し出してロック突起４１ａの拘束を解除させる。これにより、カセットハウジング３０のロックが解除されて、カセットハウジング３０がテープ排出位置に移動することになる。このとき、カセットスイッチ４５は、イジェックトレバー４３の押下部４３ｂと離隔されることによりオフされる。
【００１２】
しかしながら、前記のような一般の磁気記録再生装置のカセットテープ排出装置は、イジェックトレバー４３をシャーシ２０に組立てるためのピン４２、及びイジェックトレバー４３の抜け止めためのワッシャー４４などのような副資材を必要とする等、組立部品数及び組立時間の増加を避けられない。組立部品数及び組立時間の増加は、生産性低下及び費用上昇を招くという問題点がある。
【特許文献１】韓国登録実用第１３６６２９号
【特許文献２】日本特開平２−１４８４５６号公報
【発明の開示】
【発明が解決しようとする課題】
【００１３】
本発明は前記問題点に鑑みてなされたもので、その目的は、ピンやウッシャーなどのような副資材を使用することなく、イジェックトレバーがシャーシに充分の機能を行うように組立可能なカセットテープ排出装置及びこれを備える磁気記録再生装置を提供することにある。
【課題を解決するための手段】
【００１４】
前記目的を達成するために、本発明に係る磁気記録再生装置のカセットテープ排出装置は、一体に形成されたピンボスと、フック穴及びロック溝を備えるシャーシと；カセットテープが装着され、前記シャーシにテープ収容位置及びテープ排出位置に移動自在に設置されるカセットハウジングと；前記カセットハウジングに設置され、前記カセットハウジングがテープ収容位置に移動した時、前記ロック溝に係止するロック突起を備えるロックレバーと；前記ピンボスを通じて所定角度に正・逆回転できるように前記シャーシに設置され、カセットテープ排出時、前記ロック溝に対する前記ロック突起の係止を解除するイジェクトレバーとを含む。
【００１５】
本発明の好適実施例によれば、磁気記録再生装置のカセットテープ排出装置は、前記イジェクトレバーの正・逆回転により、オン/オフ動作をしながら、カセットテープの排出を検知するカセットスイッチを含む。
【００１６】
前記ロックレバーは前記イジェックトレバーと接触するロック解除突起を備え、前記イジェックトレバーは、前記ピンボスの受容されるピン穴を備えた本体、前記ロック解除突起と接触する作動部、及び前記カセットスイッチを動作させる押下部を備える。
【００１７】
前記押下部は前記本体に弾力を持つように備えられる。これにより、前記押下部は、過度な外力の発生時、緩衝作用をしながらカセットスイッチの押下を円滑に動作させることができる。
【００１８】
また、前記イジェックトレバーは、前記シャーシのフック穴にフックされる抜け止めフック部を備えることが望まししい。
【００１９】
また、前記ピンボスは深絞りによりシャーシに一体に形成される。
【００２０】
また、前記カセットスイッチは前記シャーシの下面に設置される。
【００２１】
本発明の目的を達成するための磁気記録再生装置は、リールテーブルと、テープ走行系及びヘッドドラムなどを支持するシャーシと；カセットテープが装着され、前記シャーシにテープ収容位置及びテープ排出位置に移動自在に設置されるカセットハウジングと；前記カセットハウジングがテープ収容位置に移動した時、カセットハウジングをシャーシにロックし、カセットテープ排出時、カセットハウジングのロックを解除して、カセットハウジングがテープ排出位置に移動するカセットテープ排出装置とを含む。ここで、前記カセットテープ排出装置は、一体に形成されたピンボスと、フック穴及びロック溝を備えた前記シャーシと；前記カセットハウジングに設置され、前記カセットハウジングがテープ収容位置に移動した時、前記ロック溝に係止するロック突起とロック解除突起を備えたロックレバーと；前記ピンボスを通じて所定角度に正・逆回転できるように前記シャーシに設置され、カセットテープ排出時、前記ロック溝に対するロック突起の係止を解除するイジェックトレバーと；前記イジェックトレバーの正・逆回転により、オン/オフ動作をしながら、カセットテープの排出を検知するカセットスイッチとを含むことを特徴とする。
【発明の効果】
【００２２】
本発明に係る磁気記録再生装置のカセットテープ排出装置は、シャーシに形成されたピンボスとイジェクトレバーに形成されたフックを利用して、イジェクトレバーをシャーシに所定角度に正・逆回転できるように組立てられる。即ち、従来に使用されるピンやウッシャーなどの副資材の使用を排除できる等、組立部品数を低減できる。したがって、本発明によれば、部品数低減による費用低減及び生産性向上を図ることができる。
【発明を実施するための最良の形態】
【００２３】
以下、添付図面に基づき、本発明の好適実施例を詳細に説明する。
【００２４】
図３は本発明の一実施例によるカセットテープ排出装置を採用した磁気記録再生装置のデッキを示す斜視図であって、図中、参照符号１００はシャーシ、２００はカセットハウジング、３００はカセットテープ排出装置である。
【００２５】
シャーシ１００は、ベース面１０１及びこのベース面１０１の端部に垂直に曲げた４個の側面１０２、１０３、１０４、１０５を持つ。このシャーシ１００は、カセットテープＣのテープリールを回転駆動させる一対のリールテーブル１１０、１２０、ローディングモータ１３０、キャプスタンモータ１４０、テープ走行系を構成する多数のガイドローラ１５０とガイド柱１６０、及びヘッドドラム組立体１７０などを受容して支持する。
【００２６】
カセットハウジング２００はシャーシ１００にＸレバー４００によりテープ収容位置及びテープ排出位置に移動自在に設置される。このカセットハウジング２００にはカセットテープＣが装着されることで、カセットテープＣはシャーシ１００のリールテーブル１１０、１２０に収容される。
【００２７】
カセットテープ排出装置３００は、カセットハウジング２００がテープ収容位置に移動した時、カセットハウジング２００をシャーシ１００にロックし、カセットテープ排出時、カセットハウジング２００のロックを解除して、カセットハウジング２００がテープ排出位置に移動するようにする。
【００２８】
図３乃至図６によれば、前記のようなカセットテープ排出装置３００は、一体に形成されたピンボス１０１ａ、フック穴１０１ｂ及びロック溝１０２ａを備えたシャーシ１００、カセットハウジング２００に設置されたロックレバー３１０、シャーシ１００に設置されるイジェクトレバー３２０及びカセットスイッチ３３０を含む。
【００２９】
図４及び図５に示すように、ピンボス１０１ａは深絞り(Ｄｅｅｐ−Ｄｒａｗｉｎｇ)によりシャーシ１００に一体に形成され、このピンボス１０１ａにイジェクトレバー３２０が所定角度に正・逆回転できるように設置される。そして、フック穴１０１ｂはピンボス１０１ａに隣接してシャーシ１００に形成され、ロック溝１０２ａはシャーシ１００の一側面１０２に形成される。これらのフック穴１０１ｂ及びロック溝１０２ａについては詳細に後述する。
【００３０】
ロックレバー３１０は、カセットハウジング２００がテープ収容位置に移動した時、ロック溝１０２ａに係止するロック突起３１１を備え、また、後述するイジェクトレバー３２０と接触するロック解除突起３１２を備える。このようなロックレバー３１０はカセットハウジング２００に軸３１３に回転自在に設置されるが、スプリング３１４によりロック突起３１１がロック溝１０２ａに挿入される方向に弾性バイアスされるように設置される。
【００３１】
イジェクトレバー３２０は、前述したように、ピンボス１０１ａを通じてシャーシ１００に所定角度に正・逆回転できるように設置されるが、本発明のイジェクトレバー３２０は、シャーシ１００の設置位置から抜かないように、シャーシ１００のフック穴１０１ｂにフックされるフック部３２１を備える。これにより、従来のピンやワッシャーなどのような副資材を使用しなくても、本発明によるイジェクトレバー３２０をシャーシ１００に充分な機能を働くように組立てられる。
【００３２】
イジェクトレバー３２０は、シャーシ１００のピンボス１０１ａの受容されるピン穴３２２ａを持つ本体３２２、作動部３２３及び押下部３２４を備える。作動部３２３はロックレバー３１０のロック解除突起３１２と接触し、押下部３２４は後述するカセットスイッチ３３０の接点３３１を取り締まる。本発明によるイジェクトレバー３２０における押下部３２４は本体３２２に弾力的に備えられる。これにより、イジェクトレバー３２０に過度な外力が発生する場合にも、押下部３２４が緩衝作用をしながら、カセットスイッチ３３０の接点３３１を円滑に動作させることができる。
【００３３】
カセットスイッチ３３０は、上述したように、イジェクトレバー３２０の正・逆回転によってオン/オフ動作をしながら、カセットハウジング２００のロック状態及びロック解除状態信号を図示せぬ制御部に送信する。
【００３４】
このようなカセットスイッチ３３０は、シャーシ１００の内部空間を有用に使用するために、シャーシ１００の下面に設置されることが好ましい。
【００３５】
このように構成された本発明による磁気記録再生装置のカセットテープ排出装置は、一般のものと同様に、カセットテープＣの装着されたカセットハウジング２００がテープ収容位置に移動すれば、これをロックし、このようなロック状態でカセットテープＣを排出するために、カセットハウジング２００のロックを解除する時、イジェクトレバー３２０が図４において反時計方向に回転しながら、ロックレバー３１０のロック解除突起３１２を押し出して、カセットハウジング２００のロックを解除して、カセットハウジング２００がテープ排出位置に移動するようにする。
【００３６】
このようなカセットハウジングのロック及びロック解除作用は、一般の装置と同様になされる。しかし、本発明によるカセットテープ排出装置は、イジェクトレバー３２０をシャーシ１００に組立ての時、従来のような副資材のピンやワッシャーなどを使用することなく、シャーシ１００に一体に形成されたピンボス１０１ａとイジェクトレバー３２０に形成されたフック部３２１を利用して簡単に組立てられる。
【００３７】
即ち、従来、シャーシにピンを設ける工程や、ピンにイジェクトレバーを組立てた後、ピンの上部にワッシャーを結合する工程などを除去できる等、組立部品数の減少を通した組立時間の低減を期待できる。
【００３８】
以上、本発明を本発明の原理を例示するための好適実施例と関連して図示し説明したが、本発明はこれに限定されず、添付の特許請求の範囲の思想から逸脱しない範囲内で多様に変更・実施できるはずである。
【産業上の利用可能性】
【００３９】
本発明は小型の磁気記録再生装置、例えば、ＶＣＲやＤＶＣなどのデッキの構成要素を低減できることで、磁気記録再生装置の組立性の改善に利用されることができる。
【図面の簡単な説明】
【００４０】
【図１】一般の磁気記録再生装置のデッキの概略斜視図である。
【図２Ａ】図１に示したデッキを採用したカセットテープ排出装置の構造及び作用を示す分解斜視図である。
【図２Ｂ】図１に示したデッキを採用したカセットテープ排出装置の構造及び作用を示す組立断面図である。
【図３】本発明の一実施例によるカセットテープ排出装置を採用した磁気記録再生装置のデッキを示す斜視図である。
【図４】本発明の一実施例によるカセットテープ排出装置の一部の分解斜視図である。
【図５】図４の組立状態断面図である。
【図６】本発明のカセットテープ排出装置を構成するイジェクトレバーの正面図である。
【符号の説明】
【００４１】
１００    シャーシ
１０１ａ  ピンボス
１０１ｂ  フック穴
１０２ａ  ロック溝
２００    カセットハウジング
３００    カセットテープ排出装置
３１０    ロックレバー
３１１    ロック突起
３１２    ロック解除突起
３２０    イジェクトレバー
３２１    フック部
３２２    イジェクトレバーの本体
３２２ａ  ピン穴
３２３    作動部
３２４    押下部
３３０    カセットスイッチ
【図１】
2006004602.tif 000003
【図２Ａ】
2006004602.tif 000004
【図２Ｂ】
2006004602.tif 000005
【図３】
2006004602.tif 000006
【図４】
2006004602.tif 000007
【図５】
2006004602.tif 000008
【図６】
2006004602.tif 000009